(57)【要約】【課題】造営面を利用してスペースをとらずに簡単に設置する。使い易くする。洗濯物を干さないときはコンパクトに且つ外観良く収納する。【解決手段】造営面の左右方向Ａに間隔をあけて固定される左右一対の縦長形状の固定バー３と、各固定バー３に対してそれぞれ下端部が片持ち支持される縦長形状の可動バー４とを備え、可動バー４の下端部は固定バー３の下端部に回動自在に連結され、固定バー３と可動バー４との間には折り畳み自在の干し具支持バー７が架け渡され、干し具支持バー７の折り畳み状態では可動バー４は固定バー３と並列状に並ぶ立ち上がり姿勢となり、干し具支持バー７の展伸状態では可動バー４はその下端部を中心に前方Ｂに所定角度で傾斜した突出姿勢となり且つこの突出姿勢で展伸状態にある干し具支持バー７の上面に干し具８が掛止可能とされる物干し装置１である。【選択図】図１
2011125445.tif 000002
【特許請求の範囲】
【請求項１】
造営面に設置されて干し具を支持する物干し装置であって、造営面の左右方向に間隔をあけて固定される左右一対の縦長形状の固定バーと、各固定バーに対してそれぞれ下端部が片持ち支持される縦長形状の可動バーとを備え、可動バーの下端部は固定バーの下端部に設けたヒンジ部材に対して回動自在に連結されていると共に、固定バーと可動バーとの間には折り畳み自在の干し具支持バーが架け渡されており、干し具支持バーの折り畳み状態では可動バーは固定バーと並列状に並ぶ立ち上がり姿勢となり、干し具支持バーの展伸状態では可動バーはヒンジ部材を中心に前方に向かって所定角度で傾斜した突出姿勢となり且つこの突出姿勢で展伸状態にある干し具支持バーの上面に干し具が掛止可能とされることを特徴とする物干し装置。
【請求項２】
可動バーの上端部側に、干し具を干し具支持バーに向けて押圧するための干し具押え部を設けたことを特徴とする請求項１記載の物干し装置。
【請求項３】
可動バーの上端部の延長上に、可動バーの立ち上がり姿勢において固定バーの上端部よりも上方に突出する引掛け部を延設したことを特徴とする請求項１又は２記載の物干し装置。
【請求項４】
固定バーと可動バーとの対向する面の少なくとも一方に、立ち上がり姿勢にある可動バーと固定バー間に指詰め防止用の隙間を確保するための凹状部を形成したことを特徴とする請求項１乃至３のいずれか一項に記載の物干し装置。
【発明の詳細な説明】
【技術分野】
【０００１】
本発明は、壁などの造営面に取り付けられる物干し装置に関するものである。
【背景技術】
【０００２】
従来より、天井裏に設けた大型の収納ボックスから室内に一対の吊り下げ部材を昇降自在に連出し、吊り下げ部材の下端に引っ掛けた竿に洗濯物や布団等を吊り下げるようにした物干し装置が知られている(例えば特許文献１参照)。
【０００３】
ところが前記特許文献１に見られる物干し装置では、室外のように天井のない場所には設置できない。
【０００４】
そこで従来は、庭先やベランダ等に物干し竿を設置しているが、物干し竿を支持する支柱を設ける必要があり、しかも支柱は常時外部に露出しているために建物の美観が損なわれるという問題があり、とくに狭い住宅事情にあっては支柱が大きなスペースを締めてしまい、邪魔になって使いづらいという問題もある。
【先行技術文献】
【特許文献】
【０００５】
【特許文献１】特願２００１−６２１９１号公報
【発明の概要】
【発明が解決しようとする課題】
【０００６】
本発明は上記の事情に鑑みてなされたものであって、その目的とするところは、造営面を利用してスペースをとらずに簡単に設置でき、しかも使い易くでき、さらに洗濯物を干さないときはコンパクトに且つ外観良く収納でき、使用性と外観性を共に向上させることができる物干し装置を提供することにある。
【課題を解決するための手段】
【０００７】
前記の課題を解決するために、本発明は、造営面に設置されて干し具８を支持する物干し装置である。造営面の左右方向Ａに間隔をあけて固定される左右一対の縦長形状の固定バー３と、各固定バー３に対してそれぞれ下端部４ａが片持ち支持される縦長形状の可動バー４とを備える。可動バー４の下端部４ａは固定バー３の下端部３ａに設けたヒンジ部１７に対して回動自在に連結されていると共に、固定バー３と可動バー４との間には折り畳み自在の干し具支持バー７が架け渡されている。干し具支持バー７の折り畳み状態では可動バー４は固定バー３と並列状に並ぶ立ち上がり姿勢となり、干し具支持バー７の展伸状態では可動バー４はヒンジ部１７を中心に前方Ｂに向かって所定角度で傾斜した突出姿勢となり且つこの突出姿勢で展伸状態にある干し具支持バー７の上面に干し具８が掛止可能とされることを特徴としている。
【０００８】
このような構成とすることで、可動バー４を手で前方Ｂに引っ張るだけで、折り畳まれた干し具支持バー７が展伸して、可動バー４が前方Ｂに向かって所定角度で傾斜した突出姿勢で保持される。これにより展伸した干し具支持バー７上に干し具８を掛止して洗濯物を干すことができて使い易くなると共に、布団などの重量物を干す場合でも、その重量は固定バー３と可動バー４と干し具支持バー７とからなる三角構造（トラス構造）で確実に保持されるので、干し具８の安定性を高めることができる。一方、洗濯物を干さないときは、干し具８を取り外して可動バー４を後方（造営面側）に手で押して固定バー３に沿った立ち上がり姿勢とする。このとき展伸している干し具支持バー７が折り畳まれるので、可動バー４及び干し具支持バー７を共にコンパクトに且つ外観良く固定バー３側に戻すことができる。
【０００９】
また、可動バー４の上端部４ｂ側に、干し具８を干し具支持バー７に向けて押圧するための干し具押え部９を設けるのが好ましい。この場合、強い風などで干し具８が干し具支持バー７から外れてしまうのを防止でき、安定性が良くなると共に、干し具押え部９は可動バー４の上端部４ｂ側に設けられるので、干し具８を造営面から最も離れた位置、つまり干し具８を可動バー４の上端部４ｂに寄せた位置で保持できるようになり、従って、洗濯物が風にあおられて、折角洗った洗濯物が造営面に触れて汚れたりすることもなくなる。
【００１０】
また、可動バー４の上端部４ｂの延長上に、可動バー４の立ち上がり姿勢において固定バー３の上端部３ｂよりも上方に突出する引掛け部６を延設するのが好ましい。この場合、引掛け部６に指等を掛けることで可動バー４を引っ張り操作しやすくなり、しかもこの引掛け部６は可動バー４の上端部４ｂの延長上に延設されているので、引掛け部６が干し具８を保持する際に邪魔にならず、使い易さに加えて引掛け部６がすっきりした外観となる。
【００１１】
また、固定バー３と可動バー４との対向する面の少なくとも一方に、立ち上がり姿勢にある可動バー４と固定バー３間に指詰め防止用の隙間１１を確保するための凹状部１０を形成するのが好ましい。この場合、可動バー４を突出姿勢から立ち上がり姿勢に戻すときに両バー３,４間に指が存在しても、両バー３,４間に指詰め防止用の隙間１１によって指を挟む心配がなくなり、可動バー４の戻し操作を安全に行うことができる。
【発明の効果】
【００１２】
本発明は、造営面に対してスペースをとらずに簡単に設置できるものであり、しかも固定バーに片持ち支持された可動バーを前方に引っ張るだけで、干し具支持バーが展伸して干し具を安定良く支持できるので使い易くなり、一方、洗濯物を干さないときは、干し具を取り外して可動バーを固定バーに沿った立ち上がり姿勢に戻すことにより、干し具支持バーが折り畳み状態となり、可動バー及び干し具支持バーを共にコンパクトに収納できるので、使用性に加えて外観性が向上する。
【図面の簡単な説明】
【００１３】
【図１】本発明の実施形態の一例を示す物干し装置の使用状態の斜視図である。
【図２】同上の一方の固定バーと可動バーと干し具支持バーとを示す斜視図である。
【図３】（ａ）（ｂ）（ｃ）は同上の可動バーの立ち上がり姿勢から突出姿勢にする場合を説明する側面図である。
【図４】図３（ａ）のＤ−Ｄ線に沿う断面図であり、図３（ｂ）のＥ−Ｅ線に沿う断面図である。
【図５】本発明の実施形態の他例を示し、（ａ）は固定バーと可動バー間に指詰め防止用隙間が形成される状態を説明する側面図であり、（ｂ）は固定バーと可動バーのそれぞれの凹状部を説明する側面図である。
【発明を実施するための形態】
【００１４】
以下、本発明を添付図面に示す実施形態に基いて説明する。
【００１５】
本実施形態の物干し装置１は、図１に示すように、室外の壁面（造営面）２の左右方向Ａに間隔をあけて固定される左右一対の縦長形状の固定バー３と、各固定バー３に対してそれぞれ下端部４ａが片持ち支持される縦長形状の可動バー４とを具備している。
【００１６】
左右一対の固定バー３は同じ高さに配置されている。以下において、一方の固定バー３とこれに片持ち支持される可動バー４について説明する。
【００１７】
縦長形状の固定バー３は、図２、図４に示すように、前方Ｂに開口した断面コ字状に形成され、背部３ｃがビス等の固定具１２を用いて壁面２に固定されている。
【００１８】
縦長形状の可動バー４は、後方（壁面２側）に開口した断面コ字状に形成されていると共に、可動バー４は固定バー３よりもひと回り大きく形成され、可動バー４を固定バー３に沿って立ち上がり姿勢としたときに、可動バー４が固定バー３全体を覆う形状となっている。
【００１９】
可動バー４の下端部４ａの両側部４ｃは、図４（ｂ）に示すように、固定バー３の下端部３ａの両側部３ｄに対してヒンジ部材１７により回動自在に連結されており、これにより可動バー４の上端部４ｂ側はヒンジ部材１７を中心として前方Ｂに向かって回動自在となっている。
【００２０】
本例では、立ち上がり姿勢にある可動バー４の上端部４ｂが固定バー３の上端部３ｂよりも上方に突出しており、この上方突出部分４ｄの上端が指を掛けることができる引掛け部６となっている。引掛け部６には、勿論、指に限らず、工具等を引っ掛けて引っ張るようにしてもよい。この引掛け部６は、可動バー４と同様、後方（壁面２側）に開口した断面コ字状に形成されており、引掛け部６の前面部６ｃ（図２）に指等が引っ掛けやすくなっている。
【００２１】
固定バー３の上端部３ｂと可動バー４の引掛け部６よりも下側部分との間には、折り畳み自在の干し具支持バー７が架け渡されている。
【００２２】
干し具支持バー７は、図２に示すように、後端部が固定バー３に対して回動自在に連結された後側支持バー７ａと、前端部が可動バー４に対して回動自在に連結された前側支持バー７ｂとからなり、後側支持バー７ａの前端部と前側支持バー７ｂの後端部とが、互いに回動自在に連結された回動連結部５となっている。この回動連結部５を中心として後側支持バー７ａと前側支持バー７ｂとが側面視Ｖ字状に折り畳まれる状態と、一直線上に展伸する状態との間で変形自在とされる。ここでは後側支持バー７ａは固定バー３よりもひと回り小さい断面コ字状をしており、前側支持バー７ｂは後側支持バー７ａよりもひと回り小さい断面コ字状をしており、両バー７ａ,７ｂの折り畳み状態では図４（ａ）に示すように、後側支持バー７ａは固定バー３の内側に収納され、前側支持バー７ｂは後側支持バー７ａの内側に収納されるようになっている。
【００２３】
ここで、干し具支持バー７の折り畳み状態では、図３（ａ）に示すように、可動バー４は固定バー３と並列状になる立ち上がり姿勢となり、干し具支持バー７の展伸状態では、図３（ｂ）→（ｃ）に示すように、可動バー４はヒンジ部材１７を中心に前方Ｂに向かって所定角度で傾斜した突出姿勢となる。この突出姿勢において展伸状態にある干し具支持バー７の上面に、物干し竿８ａ或いはロープのような干し具８の端部が載置可能とされる。以下において物干し竿８ａを例示するが、ロープであってもよい。
【００２４】
なお、固定バー３の長さ寸法を例えば１０００ｍｍとしたとき、可動バー４の上端部４ｂの前方Ｂへの最大突出幅は４００ｍｍ程度とされる。
【００２５】
上記可動バー４の引掛け部６の内側には、図２に示すように、物干し竿８ａを干し具支持バー７に向けて押圧するための干し具押え部９が取り付けられている。本例の干し具押え部９は、引掛け部６よりもひと回り小さい断面コ字状に形成されており、一端部が引掛け部６の上端部にヒンジ部材１３により回動自在に連結されている。本例では、ヒンジ部材１３の連結部分には干し具押え部９を図３（ｃ）の矢印Ｆで示す方向に付勢するバネ部材（図示せず）が装着されている。
【００２６】
次に本装置１の使用例を説明する。
【００２７】
洗濯物を干す際には、立ち上がり姿勢にある可動バー４の上端部４ｂの引掛け部６に指を掛けて手前に引っ張ると、図３（ａ）→（ｂ）のように、可動バー４の上端部４ｂ側をヒンジ部材１７を中心にして前方Ｂに引き出すことができる。そして、干し具支持バー７が展伸した状態で可動バー４の前方Ｂへの回動が規制され、可動バー４は前方Ｂに向かって所定角度で傾斜した突出姿勢で保持される（図３（ｃ）の状態）。
【００２８】
しかして、可動バー４を手で前方Ｂに引っ張るだけで、可動バー４が突出姿勢となり、展伸した干し具支持バー７の上面に物干し竿８ａの端部を載置することで洗濯物を干すことができる。
【００２９】
また、布団などの重量物を干す場合でも、その重量は固定バー３と可動バー４と干し具支持バー７とからなる三角構造（トラス構造）で確実に保持されるので、物干し竿８ａの安定性を高めることができる。
【００３０】
また、固定バー３の上端部３ｂからその延長上に突出する引掛け部６に指を掛けることで、固定バー３が邪魔にならずに可動バー４を引き出すことができ、使い易くなる。しかも引掛け部６は可動バー４の上端部４ｂの延長上に延びているので、引掛け部６が物干し竿８ａを保持する際に邪魔にならず、使い易さに加えて引掛け部６の外観がすっきりとしたものとなる。
【００３１】
またこのとき、引掛け部６の内側から干し具押え部９を指で引き出して、物干し竿８ａの上面を押え付ける。本例の干し具押え部９は、図示省略したバネ材によって物干し竿８ａを押える方向Ｆ（図３（ｃ））にバネ付勢されているので、物干し竿８ａの太さに関係なく、物干し竿８ａを押えることができ、結果、強風時であっても物干し竿８ａが干し具支持バー７から外れてしまうことがなく、物干し竿８ａの安定性が一層良くなる。そのうえ、物干し竿８ａは干し具押え部９によって壁面２から最も離れた位置で保持されるので、洗濯物が風にあおられて、折角洗った洗濯物が壁面２に触れて汚れたりすることもなくなる。
【００３２】
一方、洗濯物を干さないときは、物干し竿８ａを取り外して、可動バー４を後方（壁面２側）に手で押すだけで、図３（ｃ）の突出姿勢から図３（ａ）の立ち上がり姿勢に戻すことができる。このとき干し具支持バー７も折り畳まれて外部に露出しなくなると共に、干し具押え部９も引掛け部６内部に納められる。これにより、立ち上がり姿勢にある可動バー４の内側に、固定バー３、干し具支持バー７、干し具押え部９をそれぞれコンパクトに且つ外観良く収納できるようになる。
【００３３】
しかも、可動バー４が立ち上がり姿勢のときは、折り畳まれた干し具支持バー７全体の重心が可動バー４と干し具支持バー７との連結部分よりも下方に移動するために、干し具支持バー７によって可動バー４が固定バー３に近づく方向に引き寄せられるようになり、従って、意図的に可動バー４を引っ張り操作しない限り、不意に可動バー４が前方Ｂに倒れるおそれがなくなる。
【００３４】
図５は本発明の実施形態の他例であり、固定バー３と可動バー４との対向する部分に、両バー３,４の略全長に亘って凹状部１０を形成することで、両バー３,４間に指詰め防止用隙間１１を確保するものである。他の構成は前記図１〜図４の実施形態と同様であり、対応する部分には同一符号を付して詳細な説明は省略する。なお図５では一方の固定バー３のみを図示しているが、他方の固定バー３も同じ構造とする。本例では、固定バー３と可動バー４との対向する面の両方にそれぞれ、指詰め防止用の隙間１１を確保するための凹状部１０を形成しているので、可動バー４を突出姿勢から立ち上がり姿勢に戻すときに両バー３,４間に指が存在しても、指詰め防止用の隙間１１によって指を挟む心配がなくなり、可動バー４の戻し操作を安全に行うことができる利点がある。
【００３５】
本発明の物干し装置１は、室外の壁面２に設置する場合に限らず、室内の壁面にも設置可能であり、さらに壁面に限らず、天井、床などの造営面にも設置可能である。
【符号の説明】
【００３６】
１  物干し装置
２  壁面
３  固定バー
３ａ  固定バーの下端部
３ｂ  固定バーの上端部
４  可動バー
４ａ  可動バーの下端部
４ｂ  可動バーの上端部
５  回動連結部
６  引掛け部
７  干し具支持バー
８  干し具
９  干し具押え部
１０  凹状部
１１  指詰め防止用の隙間
１７  ヒンジ部材
Ａ  左右方向
Ｂ  前方
【図１】
2011125445.tif 000003
【図２】
2011125445.tif 000004
【図３】
2011125445.tif 000005
【図４】
2011125445.tif 000006
【図５】
2011125445.tif 000007